(57)【特許請求の範囲】
【請求項１】
コンピュータまたはプロセッサによって行われる、広告を配信する方法であって、
所与の顧客に関して、前記所与の顧客の場所移動パターンプロファイルに類似する場所移動パターンプロファイルと関連する顧客からなるグループのグループ特定の場所移動パターンプロファイルに基づいて、前記所与の顧客が加入する所与のベンダの少なくとも１つのサービスに関して、広告の提示のための広告キャンペーンルールを判定することと、ここで、前記場所移動パターンプロファイルは、前記所与の顧客が互いの時間の閾期間内で習慣的に訪問しているリストの場所を含み、前記リストの場所は、前記所与のベンダの少なくとも１つの競合相手を含み、前記所与のベンダの前記少なくとも１つのサービスへの前記所与の顧客の加入は、前記所与の顧客の前記場所移動パターンプロファイルを生成するために、前記所与の顧客と関連するロケーションの移動をモニタリングするための権限を提供する、
前記所与の顧客が、前記グループ特定の場所移動パターンプロファイルと整合する形で前記リストの場所への所与の訪問に従事させられていることを検出することと、
前記検出に応答して、前記広告キャンペーンルールに基づいて、前記所与のベンダの代わりに、前記所与の顧客へ広告を配信することと
を備える、方法。
【請求項２】
前記リストの場所は、前記所与の顧客が、前記リストの場所を習慣的に訪問している順序を示す順序付けされたリストの場所である、請求項１に記載の方法。
【請求項３】
前記リストの場所は、前記所与の顧客が、前記リストの場所を習慣的に訪問している順序を示さない順序付けされていないリストの場所である、請求項１に記載の方法。
【請求項４】
前記検出することは、前記所与の顧客が、前記リストの場所中の所与の場所に現在位置付けられることを判定することを含み、
前記配信することは、前記検出に応答して、前記所与の顧客への提示のために前記所与の場所のオペレータによって制御される店内の提示デバイスへ少なくとも１つの広告を送ることを含む
請求項１に記載の方法。
【請求項５】
前記検出することは、前記所与の顧客の現在のロケーションの判定に基づき、
前記配信することは、前記所与の顧客が、所与の時間の期間内で、前記リストの場所中の少なくとも１つの場所を訪問するであろうことを、前記所与の顧客の前記現在のロケーションに基づいて予測することと、前記予測された少なくとも１つの場所が、前記顧客が加入している前記少なくとも１つのサービスに関する少なくとも１つの広告に関係することを判定することとを含む、
請求項１に記載の方法。
【請求項６】
前記現在のロケーションは、前記所与の顧客が、離れて、向かって移動している、近くにいる、および／または前記リストの場所のうちの１つにいることを示し、
前記リストの場所は、前記所与の顧客が、前記リストの場所を訪問する順序を示す順序付けされたリストの場所であり、
前記予測することは、前記現在のロケーションと一致する前記場所と比較して前記順序において後で生じる１つまたは複数の場所として、前記予測された少なくとも１つの場所を予測する、
請求項５に記載の方法。
【請求項７】
前記判定することおよび配信することは、前記所与の顧客と関連するモバイルデバイスにおいて、または、サーバにおいて行われる、請求項１に記載の方法。
【請求項８】
コンピュータまたはプロセッサによって行われる、広告を配信する方法であって、
所与のベンダの少なくとも１つのサービスに加入する所与の顧客の移動をモニタリングすることと、
前記モニタリングに基づいて、互いの時間の閾期間内で前記所与の顧客により習慣的に訪問されるリストの場所を判定することであって、前記リストの場所は、前記所与のベンダの少なくとも１つの競合相手を含む、判定することと、
前記リストの場所に基づいて、場所移動パターンプロファイルを生成することと、
ここで、前記所与のベンダの前記少なくとも１つのサービスへの前記所与の顧客の加入は、前記所与の顧客の前記場所移動パターンプロファイルを生成するために、前記所与の顧客と関連するロケーションの移動をモニタリングするための権限を提供する
を備え、
さらに、前記所与の顧客に関して、前記所与の顧客の前記場所移動パターンプロファイルに類似する場所移動パターンプロファイルと関連する顧客からなるグループのグループ特定の場所移動パターンプロファイルに基づいて、前記所与の顧客が加入する前記所与のベンダの前記少なくとも１つのサービスに関して、広告の提示のための広告キャンペーンルールを判定することを備える、
広告を配信する方法。
【請求項９】
前記リストの場所は、前記所与の顧客が、前記リストの場所を習慣的に訪問している順序を示す、順序付けされたリストの場所であり、または、
前記リストの場所は、前記所与の顧客が、前記リストの場所を習慣的に訪問している順序を示さない順序付けされていないリストの場所である、
請求項８に記載の方法。
【請求項１０】
前記生成することは、
前記モニタリングに基づいて、閾数のユーザが集中する、または、クラスタとなる区別される地理的エリアと各々一致する前記所与の顧客によって訪問されるロケーションのセットを識別することと、
前記判定に基づいて、前記ロケーションのセットと一致する場所で前記場所移動パターンプロファイルの前記リストの場所を占めさせることと、
を含む、請求項８に記載の方法。
【請求項１１】
広告を配信するように構成された通信デバイスであって、
所与の顧客に関して、前記所与の顧客の場所移動パターンプロファイルに類似する場所移動パターンプロファイルと関連する顧客からなるグループのグループ特定の場所移動パターンプロファイルに基づいて、前記所与の顧客が加入する所与のベンダの少なくとも１つのサービスに関して、広告の提示のための広告キャンペーンルールを判定するように構成された論理と、ここで、前記場所移動パターンプロファイルは、前記所与の顧客が互いの時間の閾期間内で習慣的に訪問しているリストの場所を含み、前記リストの場所は、前記所与のベンダの少なくとも１つの競合相手を含み、前記所与のベンダの前記少なくとも１つのサービスへの前記所与の顧客の加入は、前記所与の顧客の前記場所移動パターンプロファイルを生成するために、前記所与の顧客と関連するロケーションの移動をモニタリングするための権限を提供する、
前記所与の顧客が、前記グループ特定の場所移動パターンプロファイルと整合する形で前記リストの場所への所与の訪問に従事させられていることを検出するように構成された論理と、
前記検出に応答して、前記広告キャンペーンルールに基づいて、前記所与のベンダの代わりに、前記所与の顧客へ広告を配信するように構成された論理と
を備える、通信デバイス。
【請求項１２】
広告を配信するように構成された通信デバイスであって、
所与のベンダの少なくとも１つのサービスに加入する所与の顧客の移動をモニタリングするように構成された論理と、
前記モニタリングに基づいて、互いの時間の閾期間内で前記所与の顧客により習慣的に訪問されるリストの場所を判定するように構成された論理であって、前記リストの場所は、前記所与のベンダの少なくとも１つの競合相手を含む、論理と、
前記リストの場所に基づいて、場所移動パターンプロファイルを生成するように構成された論理と、
ここで、前記所与のベンダの前記少なくとも１つのサービスへの前記所与の顧客の加入は、前記所与の顧客の前記場所移動パターンプロファイルを生成するために、前記所与の顧客と関連するロケーションの移動をモニタリングするための権限を提供する
を備え、
さらに、前記所与の顧客に関して、前記所与の顧客の前記場所移動パターンプロファイルに類似する場所移動パターンプロファイルと関連する顧客からなるグループのグループ特定の場所移動パターンプロファイルに基づいて、前記所与の顧客が加入する前記所与のベンダの前記少なくとも１つのサービスに関して、広告の提示のための広告キャンペーンルールを判定するように構成された論理を備える、
通信デバイス。
【請求項１３】
前記通信デバイスは、前記所与の顧客と関連するモバイルデバイスまたはサーバと一致する、請求項１１または請求項１２に記載の通信デバイス。
【請求項１４】
請求項１から１０のいずれかに従う方法を行うための手段を備える、装置。
【請求項１５】
コンピュータまたはプロセッサに、請求項１から１０のいずれかに従う方法を行わせるための少なくとも１つの命令を記憶する、コンピュータ可読記憶媒体。
【発明の詳細な説明】
【米国特許法１１９条に基づく優先権の主張】
【０００１】
[0001]  本特許出願は、本明細書に参照により明示的に組み込まれ、ここでの譲受人に対して譲渡され、２０１１年１２月５日に出願された、「SELECTIVELY PRESENTING ADVERTISEMENTS TO A CUSTOMER OF A SERVICE BASED ON A PLACE MOVEMENT PATTERN PROFILE」と題された、仮出願番号第６１／５６６，８９７号の優先権を主張する。
【技術分野】
【０００２】
[0002]  本発明の実施形態は、場所移動パターンプロファイル（place movement pattern profile）に基づいて、サービスの顧客へ広告を選択的に提示することに関する。
【背景技術】
【０００３】
[0003]  ワイヤレス通信システムは、第１世代アナログワイヤレス電話サービス（１Ｇ）、（中間の２．５Ｇおよび２．７５Ｇネットワークを含む）第２世代（２Ｇ）デジタルワイヤレス電話サービス、および第３世代（３Ｇ）ハイスピードデータ、インターネット利用可能ワイヤレスサービスを含む、様々な世代を通して発達している。使用中の非常に多くの異なるタイプのワイヤレス通信システムがあり、それは、セルラおよびパーソナル通信サービス（ＰＣＳ）システムを含む。既知のセルラシステムの例は、セルラアナログアドバンスドモバイル電話機システム（the cellular Analog Advanced Mobile Phone System）（ＡＭＰＳ）、および符号分割多元接続（ＣＤＭＡ）、周波数分割多元接続（ＦＤＭＡ）と、時間分割多元接続（ＴＤＭＡ）、ＴＤＭＡのグローバルシステムフォーモバイルアクセス（ＧＳＭ（登録商標））バリエーションに基づいたデジタルセルラシステム、ＴＤＭＡおよびＣＤＭＡ技術の両方を使用する最新のハイブリッドデジタル通信システム、に基づくデジタルセルラシステムを含む。
【０００４】
[0004]  ＣＤＭＡモバイル通信を提供するための方法は、ＩＳ−９５と本明細書で呼ばれる「デュアルモード広帯域スペクトル拡散セルラシステム向けモバイル局−基地局互換性標準規格」と題されたＴＩＡ／ＥＩＡ／ＩＳ−９５−Ａにおいて電気通信工業会／電子工業会により米国で標準化された。ＡＭＰＳシステムおよびＣＤＭＡシステムを組み合わせたものは、ＴＩＡ／ＥＩＡ標準規格ＩＳ−９８において説明される。他の通信システムは、ＩＭＴ−２０００／ＵＭ、または国際モバイル電気通信システム２０００／ユニバーサルモバイル電気通信システムにおいて説明され、それは、広帯域ＣＤＭＡ（ＷＣＤＭＡ（登録商標））、（例えば、ＣＤＭＡ２０００ １ｘＥＶ−ＤＯ標準規格のような）ＣＤＭＡ２０００、またはＴＤ−ＳＣＤＭＡと呼ばれるものをカバーする基準である。
【０００５】
[0005]  Ｗ−ＣＤＭＡワイヤレス通信システムにおいて、ユーザ機器（ＵＥ）は、基地局を包含するまたは基地局に隣接する特定の地理的地域内のサービスまたは通信リンクをサポートする、（セルサイトまたはセルとも呼ばれる）固定位置ノードＢから信号を受信する。ノードＢは、アクセスネットワーク（ＡＮ）または無線アクセスネットワーク（ＲＡＮ）にエントリポイントを提供し、それは、一般に、サービスの品質（Ｑｏｓ）要求に基づいてトラフィックを区別するための方法をサポートするプロトコルに基づいて、標準規格インターネットエンジニアリングタスクフォース（ＩＥＴＦ）を使用するパケットデータネットワークである。従って、ノードＢは一般に、インターネットプロトコル（ＩＰ）ネットワークデータパケットを通してＲＡＮに相互作用し、エアインターフェースを通してＵＥに相互作用する。
【発明の概要】
【０００６】
[0006]  実施形態において、第１の通信デバイスは、ベンダのサービスに加入する顧客の移動をモニタリングし、モニタリングに基づいて、互いの時間の閾期間内の顧客によって、習慣的に訪問されるリストの場所を判定し、場所移動パターンプロファイル（ＰＭＰＰ）を生成する。別の実施形態において、第２の通信デバイスは、ＰＭＰＰに基づいて、サービスについての広告の提示のために広告キャンペーンルールを判定し、ＰＭＰＰと整合する方式で、所与の顧客が、リストの場所への訪問に従事していることを検出し、検出に応答して、広告キャンペーンルールに基づいて、所与のベンダの代わりに、顧客へ広告を配信する。第１および第２の通信デバイスは、同一であるまたは異なっていることができ、顧客によって動作されるモバイルデバイスまたはサーバと各々一致することができる。
【０００７】
[0007]  本発明の実施形態、およびその結果として伴う利点の多くのより完全な正しい認識は、単に、例示のために示され、本発明を限定するものではない、添付の図面とともに考察する際、下記の詳細な説明に対する参照によって、同じものが、より良く理解されるものとして容易に得られるだろう。
【図面の簡単な説明】
【０００８】
[0008]    
【図１】図１は、本発明の少なくとも１つの実施形態に従ったアクセス端末およびアクセスネットワークをサポートするワイヤレスネットワークアーキテクチャの図である。
【０００９】
[0009]    
【図２】図２は、より詳細に図１のワイヤレス通信システムの例を図示する。
【００１０】
[0010]    
【図３】図３は、本発明の少なくとも１つの実施形態に従ったユーザ機器（ＵＥ）の図である。
【００１１】
[0011]    
【図４】図４は、機能を行うように構成された論理を含む通信デバイス４００を図示する。
【００１２】
[0012]    
【図５】図５は、本発明の実施形態に従った少なくとも１つのサービスに関する１人または複数の顧客へ広告を提示するプロセスを図示する。
【００１３】
[0013]    
【図６Ａ】図６Ａは、本発明の実施形態に従った広告関連サービスに加入することに関連する、図５のプロセスの一部分の例を図示する。
【００１４】
[0014]    
【図６Ｂ】図６Ｂは、本発明の実施形態に従った場所移動パターンプロファイルを生成することに関連する、図５のプロセスの一部分の例を図示する。
【００１５】
[0015]    
【図６Ｃ】図６Ｃは、本発明の別の実施形態に従った場所移動パターンプロファイルを生成することに関連する、図５のプロセスの一部分の例を図示する。
【００１６】
[0016]    
【図６Ｄ】図６Ｄは、本発明の実施形態に従った場所移動パターンプロファイ内の場所を分類することに関連する、図５のプロセスの一部分の例を図示する。
【００１７】
[0017]    
【図６Ｅ】図６Ｅは、本発明の実施形態に従った広告キャンペーンルールに関する構成の有用性に関連する、図５のプロセスの一部分の例を図示する。
【００１８】
[0018]    
【図６Ｆ】図６Ｆは、本発明の実施形態に従ったターゲット顧客へ広告を提示することに関連する、図５のプロセスの一部分の例を図示する。
【００１９】
[0019]    
【図７】図７は、本願の実施形態に従った図５の実現の例を図示する。
【００２０】
[0020]    
【図８】図８は、本願の実施形態に従った図７のプロセスの続きを図示する。
【００２１】
[0021]    
【図９Ａ】図９Ａは、本願の別の実施形態に従った図７のプロセスの続きを図示する。
【００２２】
[0022]    
【図９Ｂ】図９Ｂは、本願の別の実施形態に従った図７のプロセスの続きを図示する。
【００２３】
[0023]    
【図１０】図１０は、本願の別の実施形態に従った図５の実現の例を図示する。
【００２４】
[0024]    
【図１１Ａ】図１１Ａは、本願の別の実施形態に従った図１０のプロセスの続きを図示する。
【００２５】
[0025]    
【図１１Ｂ】図１１Ｂは、本願の別の実施形態に従った図１０のプロセスの続きを図示する。
【詳細な説明】
【００２６】
[0026]  本発明の態様は、本発明の特定の実施形態に示される関連する図面および下記の説明において開示される。代替の実施形態が、本発明の範囲から逸脱することなく考案されうる。加えて、本発明のよく知られているエレメントは、本発明に関係する詳細を曖昧にしないように、省略されないだろう、または詳細に説明されないだろう。
【００２７】
[0027]  「例示的な」という用語が、「例として、事例として、あるいは実例としてサービス提供すること」を意味するために本明細書で使用される。「典型的」として本明細書で説明される任意の実施形態は、他の実施形態に対して有利であるまたは好ましいように必ずしも解釈されるべきではない。同様に、「本発明の実施形態」という用語は、本発明の全ての実施形態が説明された動作のモード、または利点、特徴を含むことを要求しない。
【００２８】
[0028]  本明細書において使用される専門用語は、特定の実施形態を説明することを目的としており、本発明の実施形態を限定することを意図されない。本明細書において使用されるように、単数形「ａ」、「ａｎ」、および「ｔｈｅ」は、そうではないとコンテキストが明確に示さない限り、複数形も含むように意図される。用語「備える（comprise）」、「備えること（comprising）」、「含む（include）」、および／または「含むこと（including）」は、本明細書において使用される場合に、記載される特徴、整数、ステップ、動作、要素、および／または構成要素の存在を指定するが、１つまたは複数の他の特徴、整数、ステップ、動作、要素、構成要素、および／またはそれらのグループの追加あるいは存在を排除しないことがさらに理解されるだろう。
【００２９】
[0029]  さらに、多くの実施形態が、例えば、コンピューティングデバイスの要素によって行われるアクションのシーケンスの観点から説明される。本明細書において説明される様々なアクションは、特定の回路（例えば、特定用途向け集積回路（ＡＳＩＣ）によって、１つまたは複数のプロセッサによって実行されるプログラム命令によって、または両方の組み合わせによって行われることができるということが認識されるだろう。加えて、本明細書において説明されるアクションのこれらのシーケンスは、実行されると、関連するプロセッサに本明細書において説明される機能を行わせる、格納されたコンピュータ命令と一致するセットを有するコンピュータ可読記憶媒体の任意の形態内で全体的に具現化されるべきであると見なされることができる。従って、本発明の様々な態様は、多数の異なる形態で具体化されることができ、そのすべては、特許請求の範囲内にあることが意図されている。さらに、本明細書において説明された実施形態の各々に対して、任意のこのような実施形態と一致する形態は、例えば、説明されたアクションを行う「ように構成されるロジック」と本明細書において説明されうる。
【００３０】
[0030]  高データレート（ＨＤＲ）加入者局は、本明細書においてユーザ機器（ＵＥ）と呼ばれ、モバイルまたは固定であることができ、１つまたは複数のアクセスポイントと通信することができ、それはノードＢと呼ばれうる。ＵＥは、無線ネットワークコントローラ（ＲＮＣ）へノードＢのうちの１つまたは複数を通して、データパケットを送信および受信する。ノードＢおよびＲＮＣは、無線アクセスネットワーク（ＲＡＮ）と呼ばれるネットワークの一部分である。無線アクセスネットワークは、複数のアクセス端末間のデータパケットおよび音声を運ぶことができる。
【００３１】
[0031]  無線アクセスネットワークは、無線アクセスネットワーク外の追加のネットワークにさらに接続されることができ、このようなコアネットワークは、サーバおよびデバイスと関連する特定のキャリア、および企業のイントラネット、インターネット、公衆電話交換ネットワーク（ＰＳＴＮ）、サービング汎用パケット無線サービス（ＧＰＲＳ）サポートノード（ＳＧＳＮ）、ゲートウェイＧＰＲＳサポートノード（ＧＧＳＮ）といった、他のネットワークへの接続性を含み、このようなネットワークと各ＵＥとの間のデータパケットおよび音声を運ぶことができる。１つまたは複数のノードＢとの能動的なトラフィックチャネル接続を確立しているＵＥは、能動的なＵＥと呼ばれ、トラフィック状態にあると呼ばれることができる。１つまたは複数のノードＢとの能動的なトラフィックチャネル（ＴＣＨ）接続を確立する処理中であるＵＥは、接続セットアップ状態にあると呼ばれることができる。ＵＥは、有線チャネルを通してまたはワイヤレスチャネルを通して通信する任意のデータデバイスでありうる。ＵＥはさらに、ＰＣカード、コンパクトフラッシュ（登録商標）デバイス、外部もしくは内部モデム、またはワイヤレス電話を含むが、それらに限定されない多くのデバイスのタイプのいずれかでありうる。ＵＥがノードＢへ送る信号を通す通信リンクは、アップリンクチャネル（例えば、逆方向トラフィックチャネル、制御チャネル、アクセスチャネル、等）と呼ばれる。ノードＢがＵＥへ信号を送る通信リンクは、ダウンリンクチャネル（例えば、ページングチャネル、制御チャネル、放送チャネル、順方向トラフィックチャネル、等）と呼ばれる。本明細書で使用されるような、トラフィックチャネル（ＴＣＨ）という用語は、アップリンク／逆方向トラフィックチャネル、またはダウンリンク／順方向トラフィックチャネルのどちらかと呼ばれることができる。
【００３２】
[0032]  図１は、本発明の少なくとも１つの実施形態に従ったワイヤレス通信システム１００の１つの例示的な実施形態のブロック図を図示する。システム１００は、ＵＥ１０２、１０８、１１０、１１２とパケット交換データネットワーク（例えば、イントラネット、インターネット、および／またはコアネットワーク１２６）との間のデータの接続性を提供するネットワーク機器へＵＥ１０２を接続することができる、無線アクセスネットワーク（ＲＡＮ）１２０またはアクセスネットワークとエアインターフェース１０４を通す接続において、セルラ電話機１０２のような、ＵＥを含むことができる。本明細書で示されるように、ＵＥは、セルラ電話機１０２、パーソナルデジタルアシスタント１０８、ページャ１１０であることができ、それは本明細書で２方向テキストページャとして示されており、またワイヤレス通信ポータルを有する独立したコンピュータプラットフォーム１１２でさえあることができる。よって、本発明の実施形態は、ワイヤレスモデム、ＰＣＭＣＩＡカード、パーソナルコンピュータ、電話機、または任意のこれらの組み合わせもしくはこれらの一部の組み合わせを含むが、これらに限定されない、ワイヤレス通信能力を有するまたはワイヤレス通信ポータルを含むＵＥの任意の形態と理解されることができる。さらに、本明細書で使用される他の通信プロトコル（すなわち、Ｗ−ＣＤＭＡ以外）において、「ＵＥ」という用語は、「アクセス端末」、「ＡＴ」、「クライアントデバイス」、「モバイル端末」、「モバイル局」、およびそれらのバリエーションで交換可能に呼ばれうる。
【００３３】
[0033]  図１に戻って参照すると、ワイヤレス通信システム１００のコンポーネントおよび本発明の例示的な実施形態のエレメントの相互関係は、図示された構成に限定されるものではない。システム１００は単なる例示であり、限定されることなく、コアネットワーク１２６、インターネット、ＰＳＴＮ、ＳＧＳＮ、ＧＧＳＮおよび／または他の遠隔サーバを含む、エアインターフェース１０４とＲＡＮ１２０とを介して接続されるコンポーネント間でおよび／または相互間で、ワイヤレスクライアントコンピューティングデバイス１０２、１０８、１１０、１１２といった遠隔ＵＥが、無線を通して通信することを可能にする任意のシステムを含むことができる。
【００３４】
[0034]  ＲＡＮ１２０は、ＲＮＣ１２２へ送られる（通常データパケットとして送られる）メッセージを制御する。ＲＮＣ１２２は、サービング汎用パケット無線サービス（ＧＰＲＳ）サポートノード（ＳＧＳＮ）とＵＥ１０２／１０８／１１０／１１２との間のベアラチャネル（すなわち、データチャネル）を切断する（tearing down）こと、確立すること、およびシグナリングすることに関与する。リンク層の暗号化がイネーブルされると、ＲＮＣ１２２はまた、エアインターフェース１０４を通してコンテンツを転送する（forwarding）前に、コンテンツの暗号化する。ＲＮＣ１２２の機能は、当該技術分野においてよく知られており、簡潔にするためにさらに説明はしない。コアネットワーク１２６は、ネットワーク、インターネットおよび／または公衆電話交換ネットワーク（ＰＳＴＮ）によって、ＲＮＣ１２２と通信しうる。代替的として、ＲＮＣ１２２は、インターネットまたは外的ネットワークに直接的に接続しうる。一般に、コアネットワーク１２６とＲＮＣ１２２との間のインターネット接続またはネットワークがデータを転送し、ＰＳＴＮが音声情報を転送する。ＲＮＣ１２２は、複数のノードＢ１２４と接続することができる。コアネットワークに類似した方式において、ＲＮＣ１２２は、一般に、データ転送および／または音声情報転送のために、ネットワーク、インターネットおよび／またはＰＳＴＮによってノードＢ１２４に接続される。ノードＢ１２４は、セルラ電話機１０２のようなＵＥへデータメッセージをワイヤレスに放送することができる。当該技術分野で知られるように、ノードＢ１２４、ＲＮＣ１２２および他のコンポーネントは、ＲＡＮ１２０を形成しうる。しかしながら、代替的な構成がまた、使用されることができ、本発明は、図示された構成に限定されない。例えば、別の実施形態において、１つまたは複数のノードＢおよびＲＮＣ１２２の機能が、ＲＮＣ１２２およびノードＢ１２４の両方の機能を有する単一の「ハイブリッド」モジュールに圧縮され（collapsed）うる。
【００３５】
[0035]  図２は、より詳細に図１のワイヤレス通信システム１００の例を図示する。具体的には、図２を参照すると、ＵＥ１．．．Ｎは、異なるパケットデータネットワークの終点によってサービス提供されるロケーションで、ＲＡＮ１２０へ接続するように示される。図２の説明は、Ｗ−ＣＤＭＡのシステムおよび専門用語特有のものであるが、図２がどのように様々な他のワイヤレス通信プロトコル（例えば、ＬＴＥ、ＥＶ−ＤＯ、ＵＭＴＳ、等）に適合するように修正されることができたか理解される可能性があり、様々な実施形態は、図示されたシステムまたはエレメントに制限されない。
【００３６】
[0036]  ＵＥ１および３は、（例えば、ＳＧＳＮ、ＧＧＳＮ、ＰＤＳＮ、ホームエージェント（ＨＡ）、フォーリンエージェント（ＦＡ）、等と一致しうる）第１のパケットデータネットワーク終点１６２によってサービス提供された部分でＲＡＮ１２０に接続する。第１のパケットデータネットワーク終点１６２は順に、ルーティングユニット１８８を介して、インターネット１７５と接続し、および／または認証・認可・課金（ＡＡＡ）サーバ１８２、プロビジョニングサーバ１８４、インターネットプロトコル（ＩＰ）マルチメディアサブシステム（ＩＭＳ）／セッション開始プロトコル（ＳＩＰ）登録サーバ１８６、ならびに／もしくはアプリケーションサーバ１７０のうちの１つまたは複数と接続する。アプリケーションサーバ１７０は、１つまたは複数のメディア制御複素（ＭＣＣ）１．．．Ｎ １７０Ｂ、および１つまたは複数のリージョナルディスパッチャ（regional dispatchers）１．．．Ｎ １７０Ａを含むとして図示される。ＵＥ２および５．．．Ｎは、（例えば、ＳＧＳＮ、ＧＧＳＮ、ＰＤＳＮ、ＦＡ、ＨＡ、等と一致しうる）第２のパケットデータネットワーク終点１６４によってサービス提供された部分でＲＡＮ１２０と接続する。第１のパケットデータネットワーク終点１６２と同様に、第２のパケットデータネットワーク終点１６４は順に、ルーティングユニット１８８を介して、インターネット１７５と接続し、および／またはＡＡＡサーバ１８２、プロビジョニングサーバ１８４、ＩＭＳ／ＳＩＰ登録サーバ１８６、ならびに／もしくはアプリケーションサーバ１７０のうちの１つまたは複数と接続する。ＵＥ４は、インターネット１７５と直接接続し、次にインターネット１７５を通して、上述されたシステムコンポーネントのいずれかと接続することができる。
【００３７】
[0037]  図２を参照すると、ＵＥ１、３、および４．．．Ｎは、ワイヤレス携帯電話として図示され、ＵＥ２は、ワイヤレスのタブレットおよび／またはラップトップＰＣとして図示される。しかしながら、他の実施形態において、ワイヤレス通信システム１００は、任意のタイプのＵＥと接続することができると理解される可能性があり、図２で図示される例は、システム内で実現されうるＵＥのタイプに限定されることを意図しない。
【００３８】
[0038]  図３を参照すると、セルラ電話機等といったＵＥ２００（ここではワイヤレスデバイス）は、インターネットおよび／または他の遠隔サービスならびにネットワーク、コアネットワーク１２６から最後に来ることができるＲＡＮ１２０から送信されるコマンドおよび／またはデータ、ソフトウェアアプリケーションを実行し、受信することができるプラットフォーム２０２を有する。プラットフォーム２０２は、特定用途向け集積回路（「ＡＣＩＣ」２０８）、または他のプロセッサ、マイクロプロセッサ、論理回路、もしくは他のデータ処理デバイスと動作可能に結合されたトランシーバ２０６を含むことができる。ＡＳＩＣ２０８または他のプロセッサは、ワイヤレスデバイスのメモリ２１２内の任意の常駐プログラムと整合させる、アプリケーションプログラミングインターフェース（ＡＰＩ）２１０を実行する。メモリ２１２は、読み取り専用またはランダムアクセスメモリ（ＲＡＭおよびＲＯＭ）、ＥＥＰＲＯＭ、フラッシュカード、またはコンピュータプラットフォームに共通の任意のメモリを含むことができる。プラットフォーム２０２はまた、メモリ２１２内で能動的に使用されないアプリケーションを保持することができる、ローカルデータベース２１４を含むことができる。ローカルデータベース２１４は通常、フラッシュメモリセルであるが、磁気メディア、ＥＥＰＲＯＭ、光学メディア、テープ、ソフトまたはハードディスク、等といった、当業者に知られている任意の二次記憶デバイスであることができる。内部プラットフォーム２０２のコンポーネントはまた、当該技術分野において知られているような他のコポーネント間のキーボード２２６およびプッシュトゥートーク（push-to-talk）ボタン２２８、アンテナ２２２、ディスプレイ２２４といった、外部デバイスに動作可能に結合することができる。
【００３９】
[0039]  従って、本発明の実施形態は、本明細書で説明された機能を行う能力を含んでいるＵＥを含むことができる。当業者によって理解されるように、様々な論理エレメントは、本明細書で開示された機能を達成するために、ディスクリートエレメント、プロセッサ上で実行されるソフトウェアモジュール、またはソフトウェアおよびハードウェアの任意の組み合わせにおいて具現化されることができる。例えば、ＡＳＩＣ２０８、メモリ２１２、ＡＰＩ２１０およびローカルデータベース２１４は、本明細書で開示された様々な機能を実行および記憶し、協同してロードされるために、全て使用されることができ、従って、これらの機能を行う論理は、様々なエレメントにわたって分配されうる。代替として、機能は、１つのディスクリートコンポーネントに組み込まれることができる。従って、図３におけるＵＥ２００の特徴は、単なる例示であると考えられ、本発明は、図示された特徴または配置に限定されない。
【００４０】
[0040]  ＵＥ１０２または２００とＲＡＮ１０２との間のワイヤレス通信は、符号分割多元接続（ＣＤＭＡ）、Ｗ−ＣＤＭＡ、時分割多元接続（ＴＤＭＡ）、周波数分割多元接続（ＦＤＭＡ）、直交周波数分割多重（ＯＦＤＭ）、グローバルシステムフォーモバイルコミュニケーション（ＧＳＭ）、３ＧＰＰロングタームエボリューション（ＬＴＥ）、あるいはワイヤレス通信ネットワークまたはデータ通信ネットワークにおいて使用されうる他のプロトコル等といった、異なる技術に基づくことができる。従って、本明細書で提供される例示は、本発明の実施形態を限定することを意図したものではなく、単に、本発明の実施形態の態様の説明を目的としたものである。
【００４１】
[0041]  図４は、機能を行うように構成された論理を含む通信デバイス４００を図示する。通信デバイス４００は、ＵＥ１０２、１０８、１１０、１１２、または２００、ノードＢ、または基地局１２０、ＲＮＣまたは基地局コントローラ１１２、パケットデータネットワーク終点（例えば、ＳＧＳＮ１６０、ＧＧＳＮ１６５、ロングタームエボリューション（ＬＴＥ）におけるモビリティ管理エンティティ（ＭＭＥ）、等）、任意のサーバ１７０から１８６、等を含むが、それらに限定されない任意の上述された通信デバイスと一致することができる。従って、通信デバイス４００は、ネットワークに対する１つまたは複数の他のエンティティと通信する（または通信を容易にする）ように構成される任意の電子デバイスと一致することができる。
【００４２】
[0042]  図４を参照すると、通信デバイス４００は、情報を送信および／または受信するように構成された論理４０５を含む。一例において、通信デバイス４００がワイヤレス通信デバイス（例えば、ＵＥ２００、ノードＢ１２４、等）と一致する場合、情報受信および／または送信するように構成された論理４０５は、ワイヤレストランシーバ、および連結されたハードウェア（例えば、ＲＦアンテナ、モデム、変調器、および／または復調器、等）といった、ワイヤレス通信インターフェース（例えば、ブルートゥース、ＷｉＦｉ、２Ｇ、３Ｇ、等）を含むことができる。別の例において、情報を送信および／または受信するように構成された論理４０５は、有線通信インターフェース（例えば、インターネット１７５がアクセスすることができるイーサネット（登録商標）接続、ファイアワイア接続またはＵＳＢ、直列接続、等）と一致することができる。従って、通信デバイス４００が、ネットワークベースのサーバ（例えば、ＳＧＳＮ１６０、ＧＧＳＮ１６５、アプリケーションサーバ１７０、等）のいくつかのタイプと一致する場合、情報を送信および／または受信するように構成された論理４０５は、一例において、イーサネットプロトコルを介する他の通信エンティティとネットワークベースのサーバとを接続するイーサネットカードと一致することができる。さらなる例において、情報を送信および／または受信するように構成された論理４０５は、通信デバイス４００が、そのローカル環境（例えば、ローカルＲＦ信号をモニタリングするためのアンテナ、光センサ、温度センサ、加速度計、等）をモニタリングすることができる測定ハードウェアまたは感覚ハードウェアを含むことができる。情報を送信および／または受信するように構成された論理４０５はまた、実行された場合、その反応および／または送信機能を実行するために情報を送信および／または受信するように構成された論理４０５の連結されたハードウェアを許可するソフトウェアを含むことができる。しかしながら、情報を送信および／または受信するように構成された論理４０５は、ソフトウェア単体と一致せず、情報を送信および／または受信するように構成された論理４０５は、その機能を達成するためにハードウェアに少なくとも部分的に依存する。
【００４３】
[0043]  図４を参照すると、通信デバイス４００は、情報を処理するように構成された論理４１０をさらに含む。一例において、情報を処理するように構成された論理４１０は、少なくともプロセッサを含むことができる。情報を処理するように構成された論理４１０によって行われることができる処理のタイプの実現の例は、判定を行うこと、接続を確立すること、異なる情報間の選択肢を選択すること、データに関わる評価を行うこと、動作の測定を行うために通信デバイス４００と結合されたセンサと相互に作用すること、１つのフォーマットから別のフォーマットへ（例えば、．ｗｍｖを．ａｖｉへ．等といった、異なるプロトコル間で）情報を変換すること、等を含むが、それらに制限されない。例えば、情報を処理するように構成された論理４１０に含まれるプロセッサは、汎用プロセッサ、デジタル信号プロセッサ（ＤＳＰ）、特定用途向け集積回路（ＡＳＩＣ）、フィールドプログラマブルゲートアレイ（ＦＰＧＡ）またはその他のプログラマブル論理デバイス、ディスクリートゲートまたはトランジスタ論理、ディスクリートハードウェアコンポーネント、あるいは本明細書で説明される機能を実行するように設計されたこれらの任意の組み合わせと一致することができる。汎用プロセッサはマイクロプロセッサでありうるが、代替において、プロセッサは任意の従来のプロセッサ、コントローラ、マイクロコントローラ、またはステートマシンでありうる。プロセッサはまた、コンピューティングデバイスの組み合わせとして、例えば、ＤＳＰとマイクロプロセッサの組み合わせ、複数のマイクロプロセッサ、ＤＳＰコアを備えた１つまたは複数のマイクロプロセッサ、または、任意の他のこのような構成として実現されうる。情報を処理するように構成された論理４１０はまた、実行された場合、その処理機能を行うために情報を処理するように構成された論理４１０の連結されたハードウェアを許可するソフトウェアを含むことができる。しかしながら、情報を処理するように構成された論理４１０は、ソフトウェア単体と一致せず、情報を処理するように構成された論理４１０は、その機能を達成するためにハードウェアに少なくとも部分的に依存する。
【００４４】
[0044]  図４を参照すると、通信デバイス４００は、情報を格納するように構成された論理４１５をさらに含む。一例において、情報を格納するように構成された論理４１５は、少なくとも非一時的記憶媒体および連結されたハードウェア（例えば、メモリコントローラ等）を含むことができる。例えば、情報を格納するように構成された論理４１５に含まれる非一時的記憶媒体は、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、当該技術において知られている任意の他の形態の記憶媒体と一致することができる。情報を格納するように構成された論理４１５はまた、実行された場合、その格納機能を行うために、情報を格納するように構成された論理４１５の連結されたハードウェアを許可するソフトウェアを含むことができる。しかしながら、情報を格納するように構成された論理４１５は、ソフトウェア単体と一致せず、情報を格納するように構成された論理４１５は、その機能を達成するためにハードウェアに少なくとも部分的に依存する。
【００４５】
[0045]  図４を参照すると、通信デバイス４００は、情報を提示するように構成された論理４２０をさらに任意的に含む。一例において、情報を提示するように構成された論理４２０は、少なくとも出力デバイスおよび連結されたハードウェアを含むことができる。例えば、出力デバイスは、ビデオ出力デバイス（例えば、ＵＳＢ、ＨＤＭＩ（登録商標）といったビデオ情報を運ぶことができる端子、ディスプレイスクリーン、等）、オーディオ出力デバイス（例えば、マイクロフォンジャック、ＵＳＢ、ＨＤＭＩといったオーディオ情報を運ぶことができる端子、スピーカ、等）、出力のためにフォーマット済である、または通信デバイス４００のオペレータもしくはユーザによって実際に出力されることができる情報による任意の他のデバイスおよび／またはバイブレーションデバイスを含むことができる。例えば、図３で示されるように、通信デバイス４００が、ＵＥ２００と一致する場合、情報を提示するように構成された論理４２０は、ディスプレイ２２４を含むことができる。さらなる例において、情報を提示するように構成された論理４２０は、ローカルユーザを有していないネットワーク通信デバイス（例えば、ネットワークスイッチまたはルータ、遠隔サーバ、等）といった、特定の通信デバイスを省略することができる。情報を提示するように構成された論理４２０はまた、実行された場合、その提示機能を行うために、情報を提示するように構成された論理４２０の連結されたハードウェアを許可するソフトウェアを含むことができる。しかしながら、情報を提示するように構成された論理４２０は、ソフトウェア単体と一致せず、情報を提示するように構成された論理４２０は、その機能を達成するためにハードウェアに少なくとも部分的に依存する。
【００４６】
[0046]  図４を参照すると、通信デバイス４００は、ローカルユーザ入力を受信するように構成された論理４２５をさらに任意的に含む。一例において、ローカルユーザ入力を受信するように構成された論理４２５は、少なくともユーザ入力デバイスおよび連結されたハードウェアを含むことができる。例えば、ユーザ入力デバイスは、ボタン、タッチスクリーンディスプレイ、キーボード、カメラ、オーディオ入力デバイス（例えば、マイクロフォンジャックといったオーディオ情報を運ぶことができる端子またはマイクロフォン、等）、および／または通信デバイス４００のオペレータもしくはユーザから受信されることができる情報による任意の他のデバイスを含むことができる。例えば、図３で示されるように、通信デバイス４００がＵＥ２００と一致する場合、ローカルユーザ入力を受信するように構成された論理４２５は、ディスプレイ２２４（タッチスクリーンで実現される場合）、キーボード２２６、等を含むことができる。さらなる例において、ローカルユーザ入力を受信するように構成された論理４２５は、ローカルユーザを有していないネットワーク通信デバイス（例えば、ネットワークスイッチまたはルータ、遠隔サーバ、等）といった、特定の通信デバイスを省略することができる。ローカルユーザ入力を受信するように構成された論理４２５はまた、実行された場合、その入力応答機能を行うために、ローカルユーザ入力を受信するように構成された論理４２５の連結されたハードウェアを許可するソフトウェアを含むことができる。しかしながら、ローカルユーザ入力を受信するように構成された論理４２５は、ソフトウェア単体と一致せず、ローカルユーザ入力を受信するように構成された論理４２５は、その機能を達成するためにハードウェアに少なくとも部分的に依存する。
【００４７】
[0047]  図４を参照すると、４０５から４２５の構成された論理が、図４で独立したまたは別個のブロックで示される一方、それぞれ構成された論理が、その機能を行うハードウェアおよび／またはソフトウェアは、部分的に重複することができると理解さるだろう。例えば、４０５から４２５の構成された論理の機能を容易にするように使用される任意のソフトウェアは、情報を格納するように構成された論理４０５によって格納されたソフトウェアの動作に部分的に基づいて、４０５から４２５の構成された論理が、その機能を各々行うように（すなわち、この場合、ソフトウェア実行）、情報を格納するように構成された論理４１５と関連する非一時的メモリに格納されることができる。同様に、構成された論理のうちの１つと直接連結されたハードウェアは、時々他の構成された論理によって使用されるまたは取り入れられる。情報を送信および／または受信するように構成された論理４０５が、情報を処理するように構成された論理４１０と連結されたハードウェア（すなわちプロセッサ）の動作に部分的に基づいて、その機能（すなわち、この場合、データの送信）を行うように、例えば、情報を処理するように構成された論理４１０のプロセッサは、情報を送信および／または受信するように構成された論理４０５によって送信される前に、適切なフォーマットでデータをフォーマットすることができる。
【００４８】
[0048]  様々なブロックにおいて、「〜するように構成された論理」または構成された論理は、特定の論理ゲートまたはエレメントに限定されないが、一般に本明細書で説明される機能（ソフトウェアおよびハードウェアの組み合わせまたはハードウェアのどちらかを介する）を行うことができる能力を指すということが理解されうる。従って、様々なブロックにおいて示される、「〜するように構成された論理」または構成された論理は、「論理」という言葉を共有しているにも関わらず、論理エレメントもしくは論理ゲートとして必ずしも実現されるわけではない。様々なブロックにおける論理間の連携または他の相互作用は、下記のさらなる詳細において説明される実施形態のレビューから、当業者に対して明確になるだろう。
【００４９】
[0049]  図５は、本発明の実施形態に従った少なくとも１つのサービスに関する１人または複数の顧客へ広告を提示するプロセスを図示する。図５は、下記で図６Ａから図６Ｆに関して説明され、それは図５の処理の一部分の例をそれぞれ図示する。
【００５０】
[0050]  図５を参照すると、顧客のセットは、少なくとも１つのサービス（例えば、ウォルマートの広告サービス、ベストバイの広告サービス、等）に加入する５００。図６Ａの例１で示されるように、５００の顧客の加入動作は、所与の顧客が自分のＵＥへサービス別モバイルアプリケーション（a service-specific mobile application）をダウンロードすることを含むことができる。代替として、図６Ａの例２で示されるように、５００の顧客の加入動作は、サービスと関連するウェブページへナビゲートし、ウェブページを介してサービスに加入する所与の顧客を含むことができる。代替として、図６Ａで示されないが、顧客のセットは、少なくとも１つのサービスに暗黙的に加入することができる。
【００５１】
[0051]  図５を参照して、５００において少なくとも１つのサービスに加入することは、加入した顧客のセットと関連するロケーションの移動をモニタリングするための権限を提供すると仮定する。この仮定に基づいて、所与のアプリケーションサーバ（例えば、上述されたアプリケーションサーバ１７０等）は、複数のサービスに関する広告キャンペーン情報を管理するように構成され、各ＵＥに関する場所移動パターンプロファイルを生成するために加入した顧客のセットによって制御されるＵＥのセットと関連する移動情報をモニタリングする５０５。代替として、図５で示されないが、ＵＥのセットにおける各ＵＥが、それ自体の場所移動パターンプロファイルを単独で生成することができ、次に所与のサービスによって直接制御されるターゲットのサービスおよび／または所与のアプリケーションサーバへその場所移動パターンプロファイルを報告することもまた可能である。
【００５２】
[0052]  本明細書で使用されたような場所移動パターンプロファイルは、特定の顧客または顧客のセットが「習慣的に」（例えば、大半の日曜の午後２時と６時の間等に）行って（traveled）いるロケーションを反映する。下記でより詳細に説明されるように、場所移動パターンプロファイルは、（例えば、食料品店、ガソリンスタンド、図書館、ショッピングモール、等といった）顧客のセットに対する関連性および／またはそれらの機能の指示を有するロケーションをさらに分類することによって、さらに正確となることができる。一例において、場所移動パターンプロファイルは、下記の表１で示されるような、順序付けされていないリストの場所を含むことができる。
【表１】
0005976834.tif 000002
【００５３】
[0053]  図１に示されるように、順序付けされていない場所移動パターンプロファイルは、顧客が上記金額の閾値（例えば、５０ドル、１５０ドル等）、および／またはいくつかの他のメトリックに従って消費する、特定の継続期間中（例えば、訪問ごとに平均で２０分間以上）に特定の頻度（例えば、日曜日ごとに）で特定の顧客または顧客のセットによって訪問される、ロケーションまたは場所のセットを含む。表１において上記で示される順序付けされていない場所移動パターンプロファイルの例は、それぞれの場所が、特定の外出中である顧客によってまたは特定の時間期間で、訪問される順序を説明しない。下記でより詳細に説明されるように、表１で示される順序付けされていない場所移動パターンプロファイルは、特定の顧客または顧客のセットの、過去の移動パターンに基づいて生成されることができ、特定の顧客または顧客のセットの、将来の移動パターンを予測または計画するように使用されることができる。
【００５４】
[0054]  代替的に、場所移動パターンプロファイルは、下記の図２で示されるように、顧客または顧客のセットが、時間的に関連する期間（例えば、１時間以内、数時間、１日、等）において、特定の場所を訪問することが予期される、特定の順序を反映する順序付けされたリストの場所を含むことができる。
【表２】
0005976834.tif 000003
【００５５】
[0055]  表２で示されるように、順序付けされた場所移動パターンプロファイルは、順序付けされた場所移動パターンプロファイルが日曜の訪問順序の予測をさらに含むということを除いては、表１の順序付けされていない場所移動パターンプロファイルと同様である。言い換えると、順序付けされた場所移動パターンプロファイルは、顧客または顧客のセットが、日曜に場所ＡからＥを訪問する（例えば、顧客が週末の用事を足す場合、等）順序を予測または計画しようと試みる。表２で示されるように、顧客は、自分の家を出発して（１）、ＣＶＳへ行き（２）、次にベストバイへ行き（３）、次にウォルマートへ行き（４）、次にトレーダージョーズへ行き（５）、そして次に家に戻る（６）。理解されるように、異なる顧客は、たいてい異なる家に住んでいる。表１および２のＥにおける「家」という抽象概念は、従って、異なる家の顧客に適用されることができる抽象概念を表す；すなわち、言い換えると、場所は、顧客の地理的位置ではなく、それぞれの顧客に関する関連性によって定義されることができる。下記でより詳細に説明されるように、表２で示される順序付けされた場所移動パターンプロファイルは、特定の顧客または顧客のセットの、過去の移動パターンに基づいて生成されることができ、特定の顧客または顧客のセットの、将来の移動パターンを予測または計画するように使用されることができる。
【００５６】
[0056]  図６Ｂは、本発明の実施形態に従った場所移動パターンプロファイルを生成することに関連した個々のＵＥに関して５０５を引き起こすことができるロケーション追跡の例を図示する。図６Ｂで示されるように、マップ６００Ｂは、第１のロケーション６０５Ｂ（すなわち、ＵＥを制御する顧客の家）、第２のロケーション６１０Ｂ（例えば、食堂またはレストラン）、第３のロケーション６１５Ｂ、およびＵＥが加入している所与のサービスと関連する店舗と一致する第４のロケーション６２０Ｂとして表示される場所を含むことが示される。図６Ｂにおいてそれぞれのロケーションのナンバリングは、ＵＥが連続的な順序でロケーション間を行くという意味では、（例えば、上記の表２に類似した）順序付けされた場所移動パターンプロファイルを示す。図６Ｂにおいて、この手段は、ＵＥが第１のロケーション６０５Ｂで始まり、時間の期間中に、第２のロケーション６１０Ｂへ移動し、次に時間の期間中に第３のロケーション６１５Ｂへ移動し、最後に第４のロケーション６２０Ｂへ到着する。従って、場所移動パターンプロファイルは、単にロケーション情報に代わる時間情報および／または順次的なルート（すなわち、順次的な場所移動または進行）を搬送することができる。
【００５７】
[0057]  図６Ｃは、本発明の実施形態に従った場所移動パターンプロファイルを生成することに関連した複数のＵＥに関して５０５を引き起こすことができるロケーション追跡の図へと進む。図６Ｃの６００Ｃで示されるように、複数のＵＥと関連するロケーションの移動は、互いに重なって示される。次に、６０５Ｃにおいて、「ヒートマップ（heatmap）」は、複数のＵＥが、異なる時間において集中するように見える「場所」を示すように生成される。一例において、場所パターン移動プロファイルは、図６０５Ｃにおいて示されるような、同様の動きパターン（および／または買い物の習慣）を共有するＵＥのグループに関するまたは個々のＵＥに関するどちらかのクラスタ、もしくは場所のセットを含むように構成されることができる。図６Ｃの６０５Ｃにおいて、ヒートマップは、６００Ｃから追跡されたＵＥによって訪問されているクラスタ（または場所）のセットを示す。図６Ｃにおいて示されるように、例えば、表２に関して上述されたように、６０５Ｃが、順序付けされていない場所移動パターンプロファイルの例を表すように、ＵＥがクラスタ間を動く順序は、明確に示されていない。一旦、ヒートマップが生成され、クラスタが知られると、特定のクラスタに位置づけられるＵＥは、クラスタに関する製品またはサービスに関心を持つ（例えば、クラスタがウォルマートおよび周囲の駐車場と一致する場合、クラスタにおけるＵＥの検出は、ＵＥがウォルマートで買い物をしていることを推測するように使用されうる）と仮定されうる。同様に、ＵＥが既知のクラスタにない場合、ＵＥは、クラスタ間を動いているか、または分類されていない動きに従事していると仮定されうる。図６Ｃにおいて、図示されたクラスタは、クラスタＡ、Ｂ、およびホームロケーションクラスタを含む。ホームロケーションクラスタは、特定のアドレスと一致することができ、または代替として居住地域の代表である一般化された地理的地域（例えば、開発住宅（home development）、複合型コンドミニアム（condominium complex）、等）と一致することができる。ヒートマップ６０５Ｃは、従って、ホームロケーションクラスタにおける居住者のグループが、食料品店（例えば、クラスタＡ）、および薬局（例えば、クラスタＢ）へ習慣的に行くことを図示することができ、広告キャンペーンルール（下記でより詳細に説明される）は、別々のサービスのロケーションへこの居住者のグループを導くように生成されることができる。
【００５８】
[0058]  図５に戻ると、５１０において、所与のアプリケーションサーバは、ＵＥのセットの場所移動パターンプロファイルと関連する１つまたは複数の場所を分類する。例えば、所与のアプリケーションサーバは、顧客の加入したサービスのセットのうちの１つと競合する他のサービス（例えば、店舗）に関してジオフェンス（geofences）を定義することができる。例えば、顧客のセットはウォルマートと関連するサービスに各々加入し、ウォルマートはその生鮮食品事業に関してトレーダージョーズを競合相手であるとみなすと仮定する。この場合、ウォルマートは、トレーダージョーズのロケーションのうちの１つに関する所与の近接するロケーションが、具体的にトレーダージョーズとして、またはより一般的に「生鮮食品の競合相手」として分類されることができるように、トレーダージョーズに関してジオフェンスを定義することができる。図６Ｄは、この態様を図示しており、それよってマップ６００Ｄが、競合する食料品店のロケーション６０５Ｄ周辺に位置付けられたジオフェンスとともに図示される。特定のロケーションまたは場所の分類は次に、表１および２に関して上記で示されるように場所パターン移動プロファイルに追加されることができる。
【００５９】
[0059]  図５を参照すると、５１５において、所与のアプリケーションサーバは、１つまたは複数のサービス（またはベンダ）に加入した顧客のセットと関連した場所移動パターンプロファイルを提供し、各サービス（またはベンダ）は次に、加入した顧客のセット間で、そのそれぞれの加入した顧客の各々に関する広告キャンペーンルールを構成するために場所移動パターンプロファイルを使用する。特にベンダは、ベンダの競合相手のうちの１つまたは複数と、直接的にまたは間接的に所与の場所移動パターンプロファイルからデータを探す（mine）ことができ、構成された広告キャンペーンルールは、ベンダのためになるように確立されることができる（所与の場所移動パターンプロファイル内の１つまたは複数の競合相手を犠牲にする可能性がある）。例えば、加入した顧客のセットがウォルマートの広告サービスに加入し、加入した顧客のサブセットが家電量販店の競合相手（例えば、ベストバイ）を含む、順序付けされていない場所移動パターンプロファイルと関連する場合、次に加入した顧客のサブセットに関する広告キャンペーンルールは、ウォルマートの家電製品と関連するターゲットされた（targeted）電子クーポンの配信を含むことができる。別の例において、加入した顧客のセットがウォルマートの広告サービスに加入し、加入した顧客のサブセットが順序付けされた場所パターン移動プロファイルと関連する場合、それによって、加入した顧客のセットは、日曜の午後ごとに、ウォルマートの前にトレーダージョーズ（すなわち、ウォルマートの食料品サービスの競合相手）へ行き、加入した顧客のサブセットに関する広告キャンペーンルールは、加入した顧客のサブセットがトレーダージョーズへ到着する前に、および／またはＵＥのサブセットのトレーダージョーズへの訪問中に、加入した顧客のサブセットへウォルマートの食料品を宣伝する広告を配信することを含むことができる。広告キャンペーンルールのさらなる例が、下記で提供されるだろう。図６Ｅは、図５の５１５を実現するための例示的なキャンペーンインターフェースツールを図示する。図６Ｅで示されるように、オペレータは、「スーパーグロッサーズショッパー（Super Grocers Shoppers）」（例えば、複数の店舗で食料品を買う顧客）として、顧客のグループを指定するために場所移動パターンプロファイルを使用することができる。オペレータは次に、「スーパーグロッサーズショッパー」のグループを選択することができ、次に、これらの顧客が（例えば、サービス自体、または競合するサービスによって制限された店舗を示すことができる）店舗＃１２４３にいると判定されると、このグループのメンバへ広告を配信する、広告配信トリガをセットアップすることができる。
【００６０】
[0060]  ５１５において広告キャンペーンルールを構成した後、広告は、関連する広告キャンペーンルールに従って制限している加入した顧客のセットへ提示される５２０。図６Ｆは、５２０で生じる例示的な広告提示の例を図示する。図６Ｆの例１で示されるように、広告は、広告に関するターゲット顧客によって動作しているターゲットＵＥによって提示されることができる。代替として、図６Ｆの例２で示されるように、広告は、広告に関するターゲット顧客の近くにある店内の提示デバイスによって提示されることができる。
【００６１】
[0061]  図５を参照すると、５１０において生成された場所移動パターンプロファイルは、５１５で異なるサービス（またはベンダ）に関して複数の異なる広告キャンペーンルールを確立するように使用されることができる。例えば、順序付けされた場所移動パターンプロファイルは、特定のＵＥまたはＵＥのグループが、通常は日曜の朝に家を出て、順次（ｉ）教会、（ｉｉ）朝食の飲食店、（ｉｉｉ）ショッピングモール、または（ｉｖ）映画館へ行くことを示しうる。この場合、順序付けされた場所パターン移動プロファイルは、朝食の飲食店と関連する第１のサービス、および映画館と関連する第２のサービスに関する広告を提供するように使用されうる。この例において、第１の広告キャンペーンルールは、例えば、ターゲット顧客が教会を離れると、ターゲット顧客のＵＥへ第１のサービス（朝食の飲食店）に関する広告の配信をトリガすることができ、ターゲット顧客がショッピングモールにいると、第２のサービス（映画館）に関する広告がターゲット顧客のＵＥへ配信されることができる。そのため、単一の順序付けされた場所移動パターンプロファイルは、複数のサービスおよび／または複数の広告キャンペーンに関して繰り返し使用されることができる。類似した実現の例が、順序付けされていない場所移動パターンプロファイルに関しても同様に使用されることができると理解されるだろう。
【００６２】
[0062]  図７は、本願の実施形態に従った図５の５００から５１５の実現の例を図示する。図７を参照して、（例えば、図５の５００および／または図６Ｂと同様に）Ｎ≧１である場合、顧客のセットは、サービス１．．．Ｎのうちの少なくとも１つに各々加入するＵＥ１．．．Ｎのそれぞれのセットを動作すると仮定する７００。一例において、サービス１．．．Ｎは、ウォルマート、ベストバイ、等といった、小売店と関連する広告サービスと一致することができる。所与のアプリケーションサーバは、（例えば、図５の５０５および／または図６Ｂあるいは６Ｃと同様）関連する顧客に関して場所移動パターンプロファイルを生成するためにＵＥ１．．．Ｎと関連する移動情報をモニタリングすることを開始し、７００からサービス加入を通知される７０５。一例において、７０５においてモニタリングすることは、レポート情報がＵＥ１．．．Ｎのロケーションと関連することを所与のアプリケーションサーバへＵＥ１．．．Ｎによって送られる、定期的なまたはイベントトリガされた（event-triggered）ロケーションレポートに基づくことができる。表１および２に関してそれぞれ上述されたように、７０５において生成された場所移動パターンプロファイルは、順序付けされたまたは順序付けされていない場所移動パターンプロファイルと一致することができる。
【００６３】
[0063]  図７を参照すると、所与のアプリケーションサーバは、７１０でそれぞれの場所移動パターンプロファイルに基づく複数のグループのうちの１つへＵＥ１．．．Ｎと関連する顧客の各々を任意的に分類する７１０。例えば、類似する場所移動パターンプロファイルと関連する顧客は、一緒にグループ分けされることができ、次に顧客特定の場所パターン移動プロファイルの代わりに、グループ特定の場所移動パターンプロファイルと関連することができる。ヒートマップが複数の顧客が訪問している場所の代表であるため、図６Ｃで示されるヒートマップ６０５Ｃは、グループ特定の場所移動パターンプロファイルの例である。
【００６４】
[0064]  図７を参照すると、所与のアプリケーションサーバは、７１５で（例えば、図５の５１０および／または図６Ｄと同様に）ＵＥ１．．．Ｎと関連する、（例えば、グループ特定のまたは顧客特定の）場所移動パターンプロファイルと関連する１つまたは複数の場所を分類する。例えば、所与のアプリケーションサーバは、サービス１．．．Ｎのうちの１つと競合する他のサービス（例えば、店舗）に関してジオフェンスを定義することができる。
【００６５】
[0065]  図７を参照すると、所与のアプリケーションサーバは、必要に応じて、ＵＥ１．．．Ｎと関連する場所移動パターンプロファイルをサービス１．．．Ｎと関連するターゲットサーバ１．．．Ｎに送信する７２０。例えば、ＵＥ１．．．７がサービス１に加入し、ＵＥ４．．．９がサービス２に加入する場合、サービス１は、７２０において、ＵＥ１．．．７と関連した場所移動パターンプロファイルを受信し、サービス２は、ＵＥ４．．．９と関連する場所移動パターンプロファイルを受信する。
【００６６】
[0066]  図７を参照すると、ターゲットサーバ１．．．Ｎは、７１５からの場所の分類を任意的に絞り込むことができる７２５。７２５が行われると、７１５からの場所の分類は、最初のまたは規定の場所の分類として機能する。ターゲットサーバ１．．．Ｎは、それぞれの場所に対して分類の改良を向上することを許可することができる他の情報および／または専門分野に特化した競合相手の知識に対する情報へのアクセスを有しうる。例えば、所与のアプリケーションサーバは、食料品店であるとして特定の場所を分類することができ、ターゲットサーバ１．．．Ｎは、オーガニックの食料品店であるとして特定の場所をさらに分類することができる。一例において、７２５において場所の分類に対する改良は、場所移動パターンプロファイルの場所を表すアイコンのカスタマイズを含むことができる（例えば、トレーダージョーズのアイコンは、より一般的な食料品店のアイコン等の代わりのものを提示するように構成される）。さらに、７２５は、任意のステップであり、他の実施形態においてターゲットサーバ１．．．Ｎは、さらなる改良をせずに、場所移動パターンプロファイルで場所を分類するための所与のアプリケーションサーバの試みに、単に依存することができる。
【００６７】
[0067]  ターゲットサーバ１．．．Ｎは次に、（例えば、図５の５１５と同様に）サービス１．．．Ｎの代わりにＵＥ１．．．Ｎと関連する顧客のセットに関する広告キャンペーンルールを構成する７３０。広告キャンペーンルールは、顧客特定の場所移動パターンプロファイルに基づいて、個々のＵＥと関連し、または（例えば、７１０が行われる場合）顧客のグループと関連することができると理解されるだろう。
【００６８】
[0068]  図８は、本願の実施形態に従った図７のプロセスの続きを図示する。図８を参照すると、サービス１．．．Ｎ間の所与のサービス（「サービス１」）と関連した所与のターゲットサーバ（「ターゲットサーバ１」）は、図７の７３０においてＵＥ１．．．Ｎを動作する顧客のセットに関してそのそれぞれの広告キャンペーンルールを構成した後、ターゲットサーバ１は、サービス１と関連したロケーションをモニタリングする８００。例えば、サービス１と関連するロケーションは、図６Ｂの６２０といった、店舗または小売店のロケーションと一致することができる。８００で生じるロケーションのモニタリングは、顧客のセットが、近くにあるサービス１のロケーション内の特定のポイント（例えば、サービス１の小売店内の通路１７、等）、またはサービス１のロケーションの近くにある場合、指示するのに十分である任意のタイプのモニタリングと一致することができる。従って、８００で生じるロケーションのモニタリングは、ＧＰＳまたはいくつかの他のＵＥの位置判定スキームと一致することができ、または代替として、実際はより局所的であることができる（例えば、顧客のセットの、いくつかの他のＲＦＩＤタグに関してまたはＵＥ１．．．Ｎに関してサービス１のロケーション自体の中で生じるＲＦＩＤをスキャンする、等）。
【００６９】
[0069]  ８００からのロケーションのモニタリングに基づいて、ターゲットサーバ１は、ＵＥ１．．．Ｎと関連する任意の顧客が、サービス１のロケーションの近くにあると検出されるかどうかを判定する８０５。サーバ１が、８０５において、ＵＥ１．．．Ｎが１つもサービス１のロケーションの近くにあると検出されなかったと判定する場合、プロセスは８００へ戻り、ターゲットサーバ１は、サービス１のロケーションをモニタリングし続ける。そうでなければ、ターゲットサーバ１が、８０５において、ＵＥ１．．．Ｎのうちの１つまたは複数が、サービス１のロケーションの近くにあると検出されることを判定する場合、ターゲットサーバ１は、検出された顧客を識別する８１０。８１０の識別は、ＵＥ特定または顧客特定の識別と一致することができ、もしくは代替として、（例えば、一例において、図７の７１０からのグループ分類に基づく）グループ特定の識別と一致することができる。８１０において、顧客の識別は、８１５においてそれらと関連する場所移動パターンプロファイルを調べるように使用されることができ、それは次に、識別された顧客へ配信されるべきターゲットされた広告を選択するように使用される。例えば、家電製品がサービス１において表示される通路において、所与の顧客の検出に加えて、所与の顧客が、家電量販店を頻繁に訪問することを示す場所移動パターンプロファイルと関連して識別され検出される所与の顧客は、８１５において、所与の顧客へ配信されるべき家電と関連した広告をトリガすることができる。
【００７０】
[0070]  ８１５において広告を選択した後、選択された広告は、店内の提示デバイス（例えば、ロケーションを検出された識別された顧客の近くにある広告看板、または電子ディスプレイ）へ送信される８２０。店内の提示デバイスは、広告を受信し提示する８２５。８２５で生じる提示の例は、図６Ｆの例２で示される。
【００７１】
[0071]  図９Ａは、本願の別の実施形態に従った図７のプロセスの続きを図示する。図９Ａを参照すると、サービス１．．．Ｎ間の所与のサービス（「サービス１」）と関連した所与のターゲットサーバ（「ターゲットサーバ１」）は、図７の７３０においてＵＥ１．．．Ｎを動作する顧客のセットに関してそのそれぞれの広告キャンペーンルールを構成した後、ターゲットサーバ１は、所与のアプリケーションサーバへそのそれぞれの広告キャンペーンルールを報告する９００Ａ。図９Ａの実施形態において、ターゲットサーバ１からの報告された広告キャンペーンルールを生成するように使用される場所移動パターンプロファイルは、順序付けされた場所移動パターンプロファイルと一致すると仮定する。
【００７２】
[0072]  所与のアプリケーションサーバは、ターゲットサーバ１の広告キャンペーンルールを受信し、ＵＥ１．．．Ｎ間の所与のＵＥ（「ＵＥ１」）と関連したロケーションをモニタリングする９０５Ａ。９０５Ａのロケーションのモニタリングは、いくつかの他のロケーション検出メカニズムを介して、またはＵＥ１からの定期的またはイベントトリガされたロケーション報告（例えばＧＰＳ等に基づく）を受信する所与のアプリケーションサーバと一致することができる。図７の７０５と異なり、９０５Ａのロケーションモニタリングは、単に場所移動パターンプロファイルの生成のためだけでなく、場所移動パターンプロファイルに基づいて広告のターゲットされた配信と関連する。しかしながら、図９Ａにおいて示されないが、場所移動パターンプロファイルはまた、９０５Ａからのロケーションモニタリングに基づいて改良され、またはさらにアップデートされることができる。
【００７３】
[0073]  図９Ａを参照すると、所与のアプリケーションサーバがＵＥ１のロケーションをモニタリングしている間、ＵＥ１が、時間１において場所１へ移動し９１０Ａ、所与のアプリケーションサーバが、時間１において場所１のＵＥ１の移動を検出する９１５Ａと仮定する。特に、時間１における場所１へのＵＥ１の移動の検出は、ＵＥ１が、場所１に入っているということの実際の検出、または暗黙的な検出と一致することができ、それによって、ＵＥ１が、場所１と未だ近いが場所１から離れて行くおよび／または場所１の近くにある（または隣にある）と検出される。時間１における場所１へのＵＥ１の検出された移動に基づいて、所与のアプリケーションサーバは、ＵＥ１の１つまたは複数の将来のロケーションを予測するために、ＵＥ１の順序付けされた場所移動パターンプロファイルを使用する９２０Ａ。９２０Ａの予測は、時間１が日曜の午後２時と一致すると、次に予測は、ＵＥ１が次の４時間、８時間、等に訪問しそうである場所を予測することを試みるように時間的に制限されることができる。９２０Ａのロケーションまたは場所の予測に基づいて、所与のアプリケーションサーバは、任意のＵＥ１の予測された将来のロケーションが、サービス１（または任意のＵＥ１の他の加入したサービス）の広告キャンペーンルールのうちの１つまたは複数をトリガするかどうかを判定する９２５Ａ。図９Ａの実施形態において、ＵＥ１の予測された将来のロケーションが、サービス１の任意の広告キャンペーンルールを満たしていないと仮定する。
【００７４】
[0074]  時間内のいくつかの後のある時点において、所与のアプリケーションサーバがＵＥ１のロケーションをモニタリングし続ける間、ＵＥ１は時間２において場所２へ移動し９３０Ａ、所与のアプリケーションサーバは時間２において場所２へＵＥ１の移動を検出する９３５Ａと仮定する。特に、時間２における場所２へのＵＥ１の移動の検出は、ＵＥ１が場所２へ入っているという実際の検出、または、それにより、ＵＥ１が場所２の近く（または、隣）に検出されるおよび／または場所２へ向かって移動している、または、場所２から離れて移動しているが場所２のまだ近くにある、暗黙的な検出と一致することができる。時間２における場所２へのＵＥ１の検出された移動に基づいて、所与のアプリケーションサーバは、ＵＥ１の１つまたは複数の将来のロケーションを予測するために、ＵＥ１の順序付けされた場所移動パターンプロファイルを使用する９４０Ａ。９４０Ａの予測は、時間２が日曜の午後４時と一致する場合、次に予測は、ＵＥ１が次の３時間、７時間、等に訪問しそうである場所を予測することを試みるように時間的に制限されることができる。９４０Ａのロケーションまたは場所の予測に基づいて、所与のアプリケーションサーバは、任意のＵＥ１の予測された将来のロケーションが、サービス１（または任意のＵＥ１の他の加入したサービス）の広告キャンペーンルールのうちの１つまたは複数をトリガするかどうかを判定する９４０Ａ。
【００７５】
[0075]  図９Ａの実施形態において、ＵＥ１の予測された将来のロケーションが、サービス１の広告キャンペーンルールのうちの１つまたは複数を満たすと仮定する。例えば、ＵＥ１はジムにいることができ、順序付けされた場所移動パターンプロファイルは、ＵＥ１がジムから食堂またはレストランへ行きそうであることを予測しうる。サービス１がレストランと一致する場合、レストランへ行くＵＥ１の予測される将来のロケーションは、すぐに空腹になりそうである顧客へサービス１のレストランに関して広告を配信するための広告キャンペーンルールをトリガしうる。別の例において、ＵＥ１はサービス１のロケーションであることができ、順序付けされた場所移動パターンプロファイルは、ＵＥ１が、サービス１のロケーションから競合する家電量販店へ行きそうであることを予測しうる。サービス１もまた家電製品を販売する場合、競合する家電量販店へ行くＵＥ１の予測される将来のロケーションは、競合する家電量販店の代わりにサービス１のロケーションでその家電製品を購入するようにＵＥ１のオペレータを促すためにＵＥ１へサービス１の家電製品に関して広告を配信するための広告キャンペーンルールをトリガしうる。従って、広告キャンペーンルールは、所与のサービスのロケーションから、または所与のサービスのロケーションへ行くように計画されているターゲットＵＥに基づいて、ターゲットＵＥへ広告を配信するための順序付けされた場所移動パターンプロファイルを利用することができる。別の例において、予測された将来のロケーションは、サービス１によって直接所有されるまたは動作される必要はないが、その代わりに、サービス１のサービスおよび／または商品との関連を介してサービス１と直接関連することができる。例えば、ＵＥ１の予測される将来のロケーションは、サービス１によって所有されないまたは動作されない、ビーチを含みうる。しかしながら、サービス１は、ビーチと関連するサービス（例えば、サーフボードのワックスがけ、ボディワックス（body waxing,）、水泳のレッスン、等）または商品（例えば、サーフボード、日焼け用ローション、等）を提供しうる。よって、広告キャンペーンルールを満たすためのサービス１とＵＥ１の予測される将来のロケーションとの間の関係は、ＵＥ１のユーザが、予測される将来のロケーションに従事しそうであるアクティビティのタイプ（例えば、泳ぐこと、日光浴すること）に対して役立つであろうサービスおよび／または商品を予想すること、ならびに／もしくは競合するロケーションから離れている顧客を導くことに基づくことができる。
【００７６】
[0076]  ＵＥ１の予測される将来のロケーションのうち１つまたは複数が、９４５Ａにおいてサービス１の広告キャンペーンルールのうち１つを満たすまたはトリガするために十分であるという判定の後、サービス１と関連する１つまたは複数の広告は、選択されＵＥ１へ送信され９５０Ａ、ＵＥ１は、９５５Ａにおいて（例えば、図６Ｆの例１のように）広告を表示する。さらに、所与のアプリケーションサーバは、広告が、ＵＥ１へ、ＵＥ１と関連するアップデートされた場所移動パターンプロファイルへ配信された、等といった情報を報告するターゲットサーバ１に加入者の統計をエクスポートすることができる９６０Ａ。
【００７７】
[0077]  図９Ｂは、本願の別の実施形態に従った図７のプロセスの続きを図示する。図９Ｂを参照すると、サービス１．．．Ｎ間の所与のサービス（「サービス１」）と関連した所与のターゲットサーバ（「ターゲットサーバ１」）が、図７の７３０においてＵＥ１．．．Ｎを動作している顧客のセットに関してそのそれぞれの広告キャンペーンルールを構成した後、ターゲットサーバ１は、所与のアプリケーションサーバへそのそれぞれの広告キャンペーンルールを報告する９００Ｂ。図９Ｂの実施形態において、図９Ａとは異なり、ターゲットサーバ１から報告された広告キャンペーンルールを生成するように使用される場所移動パターンプロファイルは、順序付けされていない場所移動パターンプロファイルと一致すると仮定する。言い換えると、ＵＥ１によって訪問された場所の順序は、図９Ｂの実施形態におけるＵＥ１での広告を表示することを考慮しない。
【００７８】
[0078]  所与のアプリケーションサーバは、ターゲットサーバ１の広告キャンペーンルールを受信し、ＵＥ１．．．Ｎ間の所与のＵＥ（「ＵＥ１」）と関連したロケーションをモニタリングする９０５Ｂ。９０５Ｂのロケーションモニタリングは、いくつかの他のロケーション検出メカニズムを介して、またはＵＥ１からの定期的またはイベントトリガされたロケーション報告（例えばＧＰＳ等に基づく）を受信する所与のアプリケーションサーバと一致することができる。図７の７０５と異なり、９０５Ｂのロケーションモニタリングは、単に場所移動パターンプロファイルの生成のためだけでなく、場所移動パターンプロファイルに基づいて広告のターゲットされた配信と関連する。しかしながら、図９Ｂにおいて示されないが、場所移動パターンプロファイルはまた、９０５Ｂからのロケーションモニタリングに基づいて改良され、またはさらにアップデートされることができる。
【００７９】
[0079]  図９Ａを参照すると、所与のアプリケーションサーバがＵＥ１のロケーションでモニタリングされている間、ＵＥ１が、時間１において場所１へ移動し９１０Ｂ、所与のアプリケーションサーバが、時間１において場所１へＵＥ１の移動を検出すると仮定する９１５Ｂ。特に、時間１における場所１へのＵＥ１の移動の検出は、ＵＥ１が、場所１に入っているということの実際の検出、または暗黙的な検出と一致することができ、それによって、ＵＥ１が、場所１と未だ近いが場所１から離れて行くおよび／または場所１の近くにある（または隣にある）と検出される。時間１における場所１へのＵＥ１の検出された移動に基づいて、所与のアプリケーションサーバは、時間１における場所１へのＵＥ１の移動が、サービス１（または、任意のＵＥ１の他の加入されたサービス）の広告キャンペーンルールのうちの１つまたは複数をトリガするかどうかを判定する９２０Ｂ。図９Ｂの実施形態において、時間１における場所１へのＵＥ１の検出が、サービス１の任意の広告キャンペーンルールを満たしていないと仮定する。
【００８０】
[0080]  時間内のいくつかの後のある時点において、所与のアプリケーションサーバがＵＥ１のロケーションをモニタリングし続ける間、ＵＥ１が、時間２において場所２へ移動し９２５Ｂ、所与のアプリケーションサーバが、時間２において場所２に対してＵＥ１の移動を検出する９３０Ｂと仮定する。特に、時間２における場所２へのＵＥ１の移動の検出は、ＵＥ１が場所２へ入っているという実際の検出、または、場所２へ向かう移動が場所移動パターンプロファイルにおいて順序付けされたリストの場所から推測されるというようなＵＥ１が場所１から離れて移動しているなどという、それにより、ＵＥ１が場所２の近く（または、隣）に検出されるおよび／または場所２から離れて移動しているが場所２のまだ近くにある、暗黙的な検出と一致することができる。時間２における場所２へのＵＥ１の検出されたロケーションに基づいて、所与のアプリケーションサーバは、時間２における場所２へのＵＥ１の移動が、サービス１（または、任意のＵＥ１の他の加入されたサービス）の広告キャンペーンルールのうちの１つまたは複数をトリガするかどうかを判定する９３５Ｂ。
【００８１】
[0081]  図９Ｂの実施形態において、時間２における場所２でのＵＥ１の検出が、サービス１の１つまたは複数の広告キャンペーンルールを満たすと仮定する。例えば、順序付けされていない場所移動パターンプロファイルは図６Ｃのヒートマップ６０５Ｃで示される例と同様であることができる。従って、順序付けされていない場所移動パターンプロファイルは、ＵＥ１を動作する顧客が、所与のサービスのタイプまたは商品のタイプに関してサービス１の１つまたは複数の競合相手を訪問し、またサービス１のロケーションを訪問する習慣を有することを示すことができる。この例において、サービス１に関する広告キャンペーンルールは、ＵＥ１が競合相手のロケーションまたはサービス１のロケーションの近くに位置付けられる検出に応答して、所与のサービスのタイプまたは商品のタイプと関連する広告を提供することを含むことができる。例えば、サービス１のロケーションが、少なくとも食料品を販売するウォルマートの小売店と一致する場合、家電量販店および薬局の商品、ならびに順序付けされていない場所移動パターンプロファイルは、ＵＥ１もまた、ＣＶＳファーマシーを頻繁に訪問することを示し、ＵＥ１がウォルマートの小売店に位置付けられる場合、第１の広告キャンペーンルールは、ウォルマートの薬局に関連した広告を配信するために確立されることができ、ＵＥ１がＣＶＳファーマシーに位置付けられる場合、第２の広告キャンペーンルールは、ウォルマートの薬局に関連した広告を配信するために確立されることができる。別の例において、サービス１のロケーションが、少なくともビーチに関連した商品（例えば、日焼け用ローション）を販売するウォルマートの小売店と一致し、ＵＥ１もまた現地のビーチを頻繁に訪問する順序付けされていない場所移動パターンプロファイルを示す場合、ＵＥ１が、ウォルマートの小売店に、またはその近くに位置付けられると、第１の広告キャンペーンルールは、ウォルマートのビーチの商品に関連した広告を配信するために確立されることができ、ＵＥ１が（ウォルマートのビーチの商品と競合しうる日焼け止め用ローションのようなビーチの商品も販売する）ＣＶＳファーマシーに位置付けられる場合、第２の広告キャンペーンルールは、ウォルマートのビーチの商品に関連した広告を配信するやめに確立されることができる。よって、サービス１のロケーションと順序付けされていない場所移動パターンプロファイルのロケーションとの間の関係は、直接の競合関係である必要はないが、ＵＥ１のユーザがリストに記載されたロケーションに従事しそうであるアクティビティのタイプ（例えば、泳ぐこと、日光浴すること、等）に対して役立つサービスおよび／または商品と関連するロケーションを含むことができる。図９Ａとは異なり、それらの店舗間を移動するＵＥ１の十序は、広告キャンペーンルールを必ずしも考慮する必要はない。
【００８２】
[0082]  時間２における場所２のＵＥ１の検出がサービス１の１つまたは複数の広告キャンペーンルールを満たすことを判定した後、サービス１と関連する１つまたは複数の広告は、選択されＵＥ１へ送信され９４０Ｂ、ＵＥ１は、９４５Ｂにおいて（例えば、図６Ｆの例１のように）広告を表示する。さらに、所与のアプリケーションサーバは、広告が、ＵＥ１へ、ＵＥ１と関連するアップデートされた場所移動パターンプロファイルへ配信された、等といった情報を報告するターゲットサーバ１に加入者の統計をエクスポートすることができる。
【００８３】
[0083]  図１０は、本願の実施形態に従った図５の５００から５１５の別の実現の例を図示する。１０００から１０３０は、図７の７００から７３０と非常によく似ており、従って簡潔にするために、さらに説明はしない。ＵＥ１．．．Ｎの加入したサービスに関する広告キャンペーンルールを構成した後、ターゲットサーバ１．．．Ｎは、１０３５で、構成された広告キャンペーンルールの所与のアプリケーションサーバを通知する。図１０の実施形態において、所与のアプリケーションサーバの広告キャンペーンルールを評価する代わりに、広告キャンペーンルールは、それぞれの加入したサービスの各々に関してＵＥ１．．．Ｎへ送られる１０４０。当業者によって理解されるように、図７から図９Ｂは、図５のプロセスのサーバ側の実現を示し、それによって、サーバ（例えば、所与のアプリケーションサーバまたはターゲットサーバ１．．．Ｎのうちの１つまたは複数）は、関連する場所移動パターンプロファイルに基づくキャンペーン広告ルールに基づいてターゲットされた広告をトリガするために顧客のロケーションおよび／またはＵＥを追跡する。下記の図１１Ａおよび１１Ｂの説明から理解されるように、場所移動パターンプロファイルおよび／または広告キャンペーンルールのＵＥ１．．．Ｎを通知することは、サーバ側の代わりに、ＵＥ自体における広告キャンペーンルールの実施を許可する。
【００８４】
[0084]  図１１Ａは、本願の別の実施形態に従った図１０のプロセスの続きを図示する。図１１Ａは、所与のアプリケーションサーバにおいて実行されるような図９Ａで示される手順のうちの多くが、図１１Ａにおいて代わりにＵＥ１へ移動することを除いて、図９Ａと同様である。特に、図１１Ｂの１１００Ｂから１１５５Ｂは、９５０ＡがサーバへのＵＥの転送の動作と一致する場合、ＵＥのロードの動作（UE-load operation）と一致する１１４５Ａおよび所与のアプリケーションサーバの代わりにＵＥ１において実現されることを除いて、図９Ａの９０５Ａから９６０Ａと実質的に一致する。従って、１１１０Ａおよび１１３０Ａの検出は、図９Ａの９１５Ａおよび９３５Ａとして所与のアプリケーションサーバへ送られるロケーションレポートの代わりに、その移動のＵＥ１自体の検出に基づき、１１５５Ａにおいてエクスポートされた加入者の統計は、ターゲットサーバ１等と同様、所与のアプリケーションサーバの両方へ任意的に送られることができる。
【００８５】
[0085]  図１１Ｂは、本願の別の実施形態に従った図１０のプロセスの続きを図示する。図１１Ｂは、所与のアプリケーションサーバにおいて実行されるような図９Ｂで示される手順のうちの多くが、図１１ＢにおいてＵＥ１へ代わりに移動することを除いて、図９Ｂと同様である。特に、図１１Ｂの１１００Ｂから１１４５Ｂは、９４０ＢがサーバへのＵＥの転送動作と一致する場合、ＵＥのロードの動作と一致する１１３５Ｂ、および所与のアプリケーションサーバの代わりにＵＥ１において実現されることを除いて、図９Ａの９０５Ｂから９５０Ｂと実質的に一致する。従って、１１１０Ｂおよび１１２５Ｂの検出は、図９Ａの９１５Ａおよび９３０Ｂとして所与のアプリケーションサーバへ送られるロケーションレポートの代わりに、その移動のＵＥ１自体の検出に基づき、１１４５Ｂにおいて出力された加入者の統計は、ターゲットサーバ１等と同様、所与のアプリケーションサーバの両方へ任意的に送られることができる。
【００８６】
[0086]  上述された実施形態において、ＵＥ１は、特定のロケーションにおいて検出されているとして説明される。例えば、ＵＥ１は、図８の８０５においてサーバ１のロケーションとして検出され、図９Ａ、９Ｂ、１１Ａおよび１１Ｂの９１５Ａ、９１５Ｂ、１１１０Ａ、および１１１０Ｂにおいて場所１でそれぞれ検出され、図９Ａ、９Ｂ、１１Ａおよび１１Ｂの９３５Ａ、９３０Ｂ、１１３０Ａおよび１１２５Ｂで図２においてそれぞれ検出される。これらそれぞれの検出は、それぞれの場所でのＵＥ１の明確な検出と一致することができ、または代替として、ＵＥ１がそれぞれの場所へ向かう、もしくは単に近くにあるという黙示的な検出であることができる（例えば、ＵＥ１が場所１から離れて行き、その結果、場所２が順序付けされた場所移動パターンプロファイルのために場所１の後に来る等といった場合、場所２へ向かうことが推定される）。従って、特定の場所に関するＵＥ１の検出は、特定の場所を訪問するためにＵＥ１の利用可能性を少なくとも暗示すると広く解釈されるが、ＵＥ１が検出の瞬間に特定の場所内に位置付けられると必ずしも解釈されない。
【００８７】
[0087]  任意の様々な異なる技術および技法を使用して、情報および信号が表されてうることを、当業者は理解するだろう。上記の詳細な説明全体を通して参照されることができる、例えば、データ、命令、コマンド、情報、信号、ビット、シンボル、およびチップは、電圧、電流、電磁波、磁気フィールドまたは微粒子、光学フィールドまたは光学微粒子、あるいはこれらの任意の組み合わせによって表されうる。
【００８８】
[0088]  さらに、本明細書に開示された実施形態に関連して説明された、様々な例示的な論理ブロック、モジュール、回路およびアルゴリズムステップが、電子ハードウェア、コンピュータソフトウェア、あるいは両方の組み合わせとして実現されうることを、当業者はさらに理解するだろう。ハードウェアおよびソフトウェアのこの互換性を明確に図示するために、様々な例示的なコンポーネント、ブロック、モジュール、回路、およびステップを、これらの機能を考慮して一般に上記で説明している。このような機能が、ハードウェアとして実現されるか、あるいはソフトウェアとして実現されるかは、特定のアプリケーションおよびシステム全体に課せられる設計制約に依存する。当業者は、各特定のアプリケーションに関して多様な方法で説明された機能を実現しうるが、このような実現の判定は、本発明の範囲から逸脱を引き起こしていると解釈されるべきではない。
【００８９】
[0089]  本明細書に開示された実施形態に関連して説明された、様々な例示的な論理ブロック、モジュール、および回路は、本明細書で説明された機能を行うように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせを用いて、実現されまた行われることができる。汎用プロセッサはマイクロプロセッサでありうるが、代替において、プロセッサは任意の従来のプロセッサ、コントローラ、マイクロコントローラ、またはステートマシンでありうる。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、任意の他のこのような構成として実現されうる。
【００９０】
[0090]  本明細書に開示された実施形態と関連して説明された方法、シーケンス、および／またはアルゴリズムは、ハードウェアで、プロセッサにより実行されるソフトウェアモジュールで、あるいは、２つのものを組み合わせたもので直接的に具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野において周知のその他任意の形態の記憶媒体内に存在しうる。プロセッサが、記憶媒体に情報を書き込み、記憶媒体から情報を読み取ることができるように、例示的な記憶媒体はプロセッサに結合されている。代替において、記憶媒体は、プロセッサに不可欠でありうる。プロセッサおよび記憶媒体は、ＡＳＩＣ内に存在しうる。ＡＳＩＣは、ユーザ端末（例えば、ＵＥ）内に存在しうる。代替において、プロセッサおよび記憶媒体は、ユーザ端末中にディスクリートコンポーネントとして存在しうる。
【００９１】
[0091]  １つまたは複数の例示的な実施形態では、説明された機能は、ハードウェア、ソフトウェア、ファームウェア、またはこれらの任意の組み合わせにおいて実現されうる。ソフトウェアにおいて実現された場合、この機能は、コンピュータ可読媒体上の１つまたは複数の命令またはコードとして記憶または送信されうる。コンピュータ可読媒体は、１つの場所から別の場所へコンピュータプログラムの転送を容易にする任意の媒体を含む通信媒体とコンピュータ記憶媒体との両方を含む。記憶媒体は、コンピュータによってアクセスされることができる任意の利用可能な媒体でありうる。一例として、このようなコンピュータ可読媒体は、ＲＡＭ、ＲＯＭ、ＥＥＰＲＯＭ、ＣＤ−ＲＯＭまたは他の光ディスク記憶デバイス、磁気ディスク記憶デバイスまたは他の磁気記憶デバイス、あるいはコンピュータによってアクセスされることができる命令またはデータ構成の形態で所望のプログラムコードを搬送または記憶するように使用されることができる任意の他の媒体を備えることができるが、これらに限定されない。さらに、任意の接続は、適切にコンピュータ可読媒体と称される。例えば、ソフトウェアが、ウェブサイト、サーバ、または同軸ケーブル、ファイバ光ケーブル、ツイストペア、デジタル加入者線（ＤＳＬ）、または赤外線、無線、マイクロ波のようなワイヤレス技術を使用している他の遠隔ソースから送信された場合、同軸ケーブル、ファイバ光ケーブル、ツイストペア、ＤＳＬ、または赤外線、無線、およびマイクロ波のような無線技術は、媒体の定義に含まれる。本明細書で使用される、ディスク（Disk）およびディスク（disc）は、コンパクトディスク（ＣＤ)、レーザディスク（登録商標）、光学ディスク、デジタル多用途ディスク（ＤＶＤ）、フロッピー（登録商標）ディスク、およびブルーレイディスクを含み、ディスク（disc）が、データをレーザで光学的に再生する一方、ディスク（Disk）はしばしばデータを磁気的に再生する。上記の組み合わせもまた、コンピュータ可読媒体の範囲内に含まれるべきである。
【００９２】
[0092]  先述の開示は、本発明の例示的な実施形態を示すが、添付された特許請求の範囲によって規定されるような本発明の範囲を逸脱することなく、本明細書で様々な変更および修正ができることに、留意すべきである。本明細書で説明された発明の実施形態に従った方法クレームのアクションおよび／またはステップ、機能は、任意の特定の順序で行われる必要はない。さらに、本発明の構成要素は、単数形で主張または説明されうるが、単数形に対する限定が明示的に示されない限り、複数形が意図される。
以下に、本願出願の当初の特許請求の範囲に記載された発明を付記する。
［Ｃ１］
広告を配信する方法であって、
所与の顧客に関して、前記所与の顧客の場所移動パターンプロファイルに基づいて、前記所与の顧客が加入する所与のベンダの少なくとも１つのサービスに関して、広告の提示のための広告キャンペーンルールを判定すること（５１５；７３０；１０４０）と、ここで、前記場所移動パターンプロファイルは、前記所与の顧客が互いの時間の閾期間内で習慣的に訪問しているリストの場所を含み、前記リストの場所は、前記所与のベンダの少なくとも１つの競合相手を含み、
前記所与の顧客が、前記場所移動パターンプロファイルと整合する形で前記リストの場所への所与の訪問に従事させられていることを検出すること（５２０；８０５、８１０；９１５Ａ；９３５Ａ；９１５Ｂ；９３５Ｂ；１１１０Ａ；１１３０Ａ；１１１０Ｂ；１１２５Ｂ）と、
前記検出に応答して、前記広告キャンペーンルールに基づいて、前記所与のベンダの代わりに、前記所与の顧客へ広告を配信すること（５２０；８２０、８２５；９５０Ａ、９４０Ｂ；１１５０Ａ；１１４０Ｂ）と、
を備える、方法。
［Ｃ２］
前記リストの場所は、前記所与の顧客が、前記リストの場所を習慣的に訪問している順序を示す順序付けされたリストの場所である、Ｃ１に記載の方法。
［Ｃ３］
前記リストの場所は、前記所与の顧客が、前記リストの場所を習慣的に訪問している順序を示さない順序付けされていないリストの場所である、Ｃ１に記載の方法。
［Ｃ４］
前記検出することは、前記所与の顧客が、前記リストの場所中の所与の場所に現在位置付けられることを判定することを含み、
前記配信することは、前記検出に応答して、前記所与の顧客への提示のために前記所与の場所のオペレータによって制御される店内の提示デバイスへ少なくとも１つの広告を送ることを含む、
Ｃ１に記載の方法。
［Ｃ５］
前記検出することは、前記所与の顧客の現在のロケーションの判定に基づき、
前記配信することは、前記所与の顧客が、所与の時間の期間内で、前記リストの場所中の少なくとも１つの場所を訪問するであろうことを、前記所与の顧客の前記現在のロケーションに基づいて予測することと、前記予測された少なくとも１つの場所が、前記顧客が加入している前記少なくとも１つのサービスに関する少なくとも１つの広告に関係することを判定することとを含む、
Ｃ１に記載の方法。
［Ｃ６］
前記現在のロケーションは、前記所与の顧客が、離れて、向かって移動している、近くにいる、および／または前記リストの場所のうちの１つにいることを示し、
前記リストの場所は、前記所与の顧客が、前記リストの場所を訪問する順序を示す順序付けされたリストの場所であり、
前記予測することは、前記現在のロケーションと一致する前記場所と比較して前記順序において後で生じる１つまたは複数の場所として、前記予測された少なくとも１つの場所を予測する、
Ｃ５に記載の方法。
［Ｃ７］
前記判定することおよび配信することは、前記所与の顧客と関連するモバイルデバイスにおいて、または、サーバにおいて行われる、Ｃ１に記載の方法。
［Ｃ８］
広告を配信する方法であって、
所与のベンダの少なくとも１つのサービスに加入する所与の顧客の移動をモニタリングすること（５０５；７０５；１００５）と、
前記モニタリングに基づいて、互いの時間の閾期間内で前記所与の顧客により習慣的に訪問されるリストの場所を判定すること（５０５；７０５；１００５）であって、前記リストの場所は、前記所与のベンダの少なくとも１つの競合相手を含む、判定することと、
前記リストの場所に基づいて、場所移動パターンプロファイルを生成すること（５０５；７０５；１００５）と
を備える、広告を配信する方法。
［Ｃ９］
前記リストの場所は、前記所与の顧客が、前記リストの場所を習慣的に訪問している順序を示す、順序付けされたリストの場所であり、または、
前記リストの場所は、前記所与の顧客が、前記リストの場所を習慣的に訪問している順序を示さない順序付けされていないリストの場所である、
Ｃ８に記載の方法。
［Ｃ１０］
前記生成することは、
前記モニタリングに基づいて、閾数のユーザが集中する、または、クラスタとなる区別される地理的エリアと各々一致する前記所与の顧客によって訪問されるロケーションのセットを識別することと、
前記判定に基づいて、前記ロケーションのセットと一致する場所で前記場所移動パターンプロファイルの前記リストの場所を占めさせることと、
を含む、Ｃ８に記載の方法。
［Ｃ１１］
広告を配信するように構成された通信デバイス（１７０；２００；４００）であって、
所与の顧客に関して、前記所与の顧客の場所移動パターンプロファイルに基づいて、前記所与の顧客が加入する所与のベンダの少なくとも１つのサービスに関して、広告の提示のための広告キャンペーンルールを判定する（５１５；７３０；１０４０）ように構成された論理（４１０）と、ここで、前記場所移動パターンプロファイルは、前記所与の顧客が互いの時間の閾期間内で習慣的に訪問しているリストの場所を含み、前記リストの場所は、前記所与のベンダの少なくとも１つの競合相手を含み、
前記所与の顧客が、前記場所移動パターンプロファイルと整合する形で前記リストの場所への所与の訪問に従事させられていることを検出する（５２０；８０５、８１０；９１５Ａ；９３５Ａ；９１５Ｂ；９３５Ｂ；１１１０Ａ；１１３０Ａ；１１１０Ｂ；１１２５Ｂ）ように構成された論理（４０５、４１０）と、
前記検出に応答して、前記広告キャンペーンルールに基づいて、前記所与のベンダの代わりに、前記所与の顧客へ広告を配信する（５２０；８２０、８２５；９５０Ａ；９４０Ｂ；１１５０Ａ；１１４０Ｂ）ように構成された論理（４０５、４２０）と
を備える、通信デバイス。
［Ｃ１２］
広告を配信するように構成された通信デバイス（１７０；２００；４００）であって、
所与のベンダの少なくとも１つのサービスに加入する所与の顧客の移動をモニタリングする（５０５；７０５；１００５）ように構成された論理（４０５）と、
前記モニタリングに基づいて、互いの時間の閾期間内で前記所与の顧客により習慣的に訪問されるリストの場所を判定する（５０５；７０５；１００５）ように構成された論理（４１０）であって、前記リストの場所は、前記所与のベンダの少なくとも１つの競合相手を含む、論理と、
前記リストの場所に基づいて、場所移動パターンプロファイルを生成する（５０５；７０５；１００５）ように構成された論理（４１０）と
を備える、通信デバイス。
［Ｃ１３］
前記通信デバイスは、前記所与の顧客と関連する（ｉｉ）モバイルデバイスまたは（ｉ）サーバと一致する、Ｃ１１またはＣ１２に記載の通信デバイス。
［Ｃ１４］
Ｃ１から１０のいずれかに従う方法を行うための手段を備える、装置（１７０、２００、４００）。
［Ｃ１５］
コンピュータ（１７０；２００；４００）またはプロセッサ（２０８；４１０）に、Ｃ１から１０のいずれかに従う方法を行わせるための少なくとも１つの命令を備える、コンピュータ可読媒体。
【図１】
0005976834.tif 000004
【図２】
0005976834.tif 000005
【図３】
0005976834.tif 000006
【図４】
0005976834.tif 000007
【図５】
0005976834.tif 000008
【図６Ａ】
0005976834.tif 000009
【図６Ｂ】
0005976834.tif 000010
【図６Ｃ】
0005976834.tif 000011
【図６Ｄ】
0005976834.tif 000012
【図６Ｅ】
0005976834.tif 000013
【図６Ｆ】
0005976834.tif 000014
【図７】
0005976834.tif 000015
【図８】
0005976834.tif 000016
【図９Ａ】
0005976834.tif 000017
【図９Ｂ】
0005976834.tif 000018
【図１０】
0005976834.tif 000019
【図１１Ａ】
0005976834.tif 000020
【図１１Ｂ】
0005976834.tif 000021